(57)【要約】【課題】簡素な構成でありながら、袋を簡単に装着したり取り外したりすることのできる袋口開口具を提供すること。【解決手段】袋口開口具１は、環状に形成されていて当該前端部３Ａに袋の開口部の一端部位が被せられる環状枠体２と、環状枠体２の前後略中央部に前後揺動自在に枢支されていて当該揺動先端部１１Ａに袋の開口部の他端部位が被せられる揺動枠１１とを備え、揺動枠１１の揺動先端部１１Ａが環状枠体２の前端部３Ａと後端部４Ａとに近接・離間するように揺動する構成とされている。また、環状枠体２の前端部３Ａに直線部１４が形成されている。【選択図】図１
2007302277.tif 000002
【特許請求の範囲】
【請求項１】
環状に形成されていて当該前端部に袋の開口部の一端部位が被せられる環状枠体と、環状枠体の前後略中央部に前後揺動自在に枢支されていて当該揺動先端部に袋の開口部の他端部位が被せられる揺動枠とを備え、揺動枠の揺動先端部が環状枠体の前端部と後端部とに近接・離間するように揺動する構成としたことを特徴とする袋口開口具。
【請求項２】
環状枠体の前端部に直線部が形成されている請求項１に記載の袋口開口具。
【発明の詳細な説明】
【技術分野】
【０００１】
本発明は、袋の開口部を開いた状態に保持する袋口開口具に関するものである。
【背景技術】
【０００２】
公園や公共広場などにおいて、一方の手でトングや短箒を持ち他方の手でゴミ袋を持ってボランティアで掃除している人をよく見かける。ところが、ゴミ袋は素材が軟らかくその開口部が閉じやすいことからゴミを入れにくく、風の強い日は尚さらであった。このように開口部が閉じやすいと、ゴミを入れる際にゴミがゴミ袋の外面に付着して利用者を汚すこともある。
【０００３】
一方で、ゴミ袋の開口部を開いた状態に保持する袋口開口具が提案され、下記の特許文献１〜３に開示されている。かかる文献開示の袋口開口具は、いずれも、互いに折り畳み自在の第１枠部材および第２枠部材からなる環状枠体と、第１枠部材に被せられたゴミ袋の開口部の一端部を第１枠部材との間で着脱可能に挟持する第１揺動枠と、第２枠部材に被せられたゴミ袋の開口部の他端部を第２枠部材との間で着脱可能に挟持する第２揺動枠とを備えている。
これらの袋口開口具は、ゴミ袋が装着された環状枠体の第２枠部材に対し第１枠部材を略６０度ないし９０度開いた状態にして壁などに掛けて使用されるようになっている。
【０００４】
【特許文献１】特開平９−１６９４０２号公報
【特許文献２】特開平１１−４９３０５号公報
【特許文献３】特開２００３−２９２１０４号公報
【発明の開示】
【発明が解決しようとする課題】
【０００５】
ところで、前記した各文献開示の袋口開口具は、少なくとも第１枠部材、第１揺動枠、第２枠部材、第２揺動枠を必要とするために部品点数が多く、構成が複雑で高価であった。また、第１枠部材にゴミ袋の一端部を被せたのちに第１揺動枠で挟持し、第２枠部材にゴミ袋の他端部を被せたのちに第２揺動枠で挟持させなければならず、環状枠体への装着に手間がかかっていた。当然ながら、環状枠体からゴミ袋を取り外すときも同様に手間がかかる。そして、第１揺動枠と第２揺動枠は６０度ないし９０度しか開かないので、ゴミ袋の開口部を大きく開いて使用する野外での作業には適さなかった。
【０００６】
本発明は、上記した従来の問題点に鑑みてなされたものであって、簡素な構成でありながら、袋を簡単に装着したり取り外したりすることのできる袋口開口具の提供を目的とする。
【課題を解決するための手段】
【０００７】
上記目的を達成するために、本発明に係る袋口開口具は、環状に形成されていて当該前端部に袋の開口部の一端部位が被せられる環状枠体と、環状枠体の前後略中央部に前後揺動自在に枢支されていて当該揺動先端部に袋の開口部の他端部位が被せられる揺動枠とを備え、揺動枠の揺動先端部が環状枠体の前端部と後端部とに近接・離間するように揺動する構成としたことを特徴とする構成にしてある。
【０００８】
また、前記構成において、環状枠体の前端部に直線部が形成されているものである。
【発明の効果】
【０００９】
本発明に係る袋口開口具は環状枠体と揺動枠とから主として成るので、簡素、軽量、および安価な構成で実現される。そして、袋開口部の一端部位を環状枠体の前端部に掛け、他端部位を揺動枠の揺動先端部に掛けた後に、揺動枠を環状枠体の後端部まで開くといった簡単な操作で、袋の開口部を大きく開いた状態に保持できる。また、開いた袋の開口部と揺動枠の揺動先端部と環状枠体の後端部とを近接させて片手で持つことができる。従って、他方の手で箒やトングを持ってゴミの掻き入れ作業を行なうことができる。その後、揺動枠の揺動先端部を手放すだけで、袋口開口具から袋をいとも容易に取り外せるのである。
【００１０】
また、環状枠体の前端部に直線部が形成されている場合は、この直線部を地面上に密着して置けるので、袋付きのチリトリとしてゴミを取りこぼすことなく袋内に掻き入れることができる。
【発明を実施するための最良の形態】
【００１１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る袋口開口具の外観図、図２は前記袋口開口具の平面図、図３は前記袋口開口具の左側面図、図４は図２におけるＡ−Ａ線矢視断面図である。
各図において、この実施形態に係る袋口開口具１は、平面視矩形状に形成された環状枠体２と、環状枠体２の両側枠の前後略中央部に架け渡されて前後揺動自在に枢支された揺動枠１１とから主に構成されている。環状枠体２は、いずれも平面視コ字状に形成された、前側の枠部材３と後側の枠部材４とがそれぞれの両側の端部３Ｂ，３Ｂ，４Ｂ，４Ｂで連結されて成っている。
【００１２】
枠部材３の端部３Ｂ，３Ｂ近傍には軸穴５，５がそれぞれ貫通して形成されており、枠部材４の端部４Ｂ，４Ｂ近傍には軸穴６，６がそれぞれ形成されている。これらの軸穴５および軸穴６に挿通されたボルト７がナット８で締止されることにより、枠部材３と枠部材４が連結される。尚、ナット８を緩めると、枠部材４と枠部材３はボルト軸心回りに相互揺動自在となってコンパクトに折り畳まれる。枠部材３における両側の端部３Ｂ，３Ｂの下辺部は左右内向きに切り起こされて、係止突起１２，１２と成っている。前記係止突起１２，１２と対面する位置の枠部材４には、それぞれ係合凹部１３，１３が形成されている。各係止突起１２と各係合凹部１３とは、枠部材３と枠部材４が略１８０度開いたときに係合して枠部材３と枠部材４を同一平面上に保持する構成に成っている。枠部材３における端部３Ｂと軸穴５との間には軸穴９が貫通して形成されている。枠部材３と枠部材４が略１８０度に開いた状態において前記軸穴９と対面する位置の枠部材４には、軸穴１０が貫通して形成されている。また、枠部材３において両側の端部３Ｂ，３Ｂ間の中央部に位置する前端部３Ａは、直線状に形成された直線部１４となっている。
【００１３】
揺動枠１１は棒体で平面視コ字状に形成されている。揺動枠１１の両方の端部１１Ｂ，１１Ｂはそれぞれ左右内向きに屈曲しており、前記した枠部材３の軸穴９および枠部材４の軸穴１０に挿通される。これにより、揺動枠１１が軸穴９，１０に前後揺動自在（図３中の矢印１７，１８）に枢支される。このように、揺動枠１１の端部１１Ｂ，１１Ｂが軸穴９および軸穴１０に一連に挿通されることにより、枠部材３と枠部材４の相互揺動が規制されて、枠部材３と枠部材４が側面視略直線状の姿勢に固定される。また、揺動枠１１の側腕長Ｍは、揺動枠１１を枠部材３の前端部３Ａ側に倒したとき揺動先端部１１Ａとの間に、袋Ｆの開口部２０を挿通可能な空間１５を形成する寸法に設定されている。一方、枠部材４の側腕長Ｎは、揺動枠１１を枠部材４の後端部４Ａ側に倒したときに揺動枠１１の揺動先端部１１Ａが枠部材４の後端部４Ａに十分に近接して、これらを共に片手で握ることのできる寸法に設定されている。そして、左右の端部１１Ｂ，１１Ｂが軸穴９，９に挿通された状態で、揺動枠１１および枠部材３から成る枠の全周長は、袋Ｆの開口部２０の全周長よりも長めに設定されている。
【００１４】
上記構成の袋口開口具１は、図４に示すように、使用にあたって揺動枠１１が枠部材３の前端部３Ａに近接するように倒される。そして、揺動枠１１の揺動先端部１１Ａと枠部材３の前端部３Ａとの間の空間１５に、袋Ｆの開口部２０が枠部材３内に下方から挿入される。ついで、袋Ｆの開口部２０の前部分である一端部位が外向きに折り返され、前記一端部位の外面２０Ａが第１掛止部位２１として枠部材３の直線部１４およびこの直線部１４の両側から後方に延びる両側腕にわたって被せられる。続いて、開口部２０の前記第１掛止部位２１と対向する他端部位の外面２０Ａが第２掛止部位２２として揺動枠１１の揺動先端部１１Ａおよびこの揺動先端部１１Ａの両側から延びる両側腕にわたって被せられる。
【００１５】
前記のように被せられた状態で、枠部材３の前端部３Ａおよび袋Ｆの第１掛止部位２１が一方の手で持たれる。そして、他方の手で揺動枠１１の揺動先端部１１Ａと袋Ｆの第２掛止部位２２が一体に持たれ、図５（ａ）に示すように、揺動枠１１および第２掛止部位２２が持ち上げられて枠部材３の前端部３Ａから離間される（矢印２３方向）。更に、揺動枠１１および袋Ｆの第２掛止部位２２は、図５（ｂ）に示すように、枠部材４の後端部４Ａに向けて揺動される（矢印２４方向）。このとき、揺動枠１１および枠部材３から成る枠の全周長は袋Ｆの開口部２０の全周長よりも若干長めに設定されているので、環状枠体２の前端部３Ａが袋Ｆの第１掛止部位２１に食い込み、環状枠体２の後端部４Ａが袋Ｆの第２掛止部位２２に食い込んで、第１掛止部位２１および第２掛止部位２２をそれぞれ前後に押し広げる。これによって、袋Ｆの開口部２０の開口縁２０Ｅは環状枠体２の前端部３Ａの下方および揺動枠１１の揺動先端部１１Ａの下方に潜り込むこととなる。また、袋Ｆの第２掛止部位２２は枠部材４の両側腕上に当接して揺動枠１１の揺動先端部１１Ａとの間に挟まれる。これらの諸動作に起因して、袋Ｆは枠部材３および揺動枠１１から抜け落ちることがなく袋口開口具１に強固に保持される。そして、袋Ｆの開口部２０は、図６に示すように、目一杯に開いた開口２５となるのである。
すなわち、袋Ｆの装着に際し、揺動枠１１の揺動先端部１１Ａは枠部材３の前端部３Ａに近接して配置されるので、枠部材３の前端部３Ａに袋Ｆの開口部２０の一端部位を被せたのちに、開口部２０の他端部位を揺動枠１１の揺動先端部１１Ａに被せるといったように、袋Ｆを袋口開口具１に極めて容易に掛けることができる。その後、揺動枠１１の揺動先端部１１Ａを袋Ｆの他端部位とともに枠部材３の前端部３Ａから離間させるだけで、いとも簡単に開口部２０を開くことができる。
【００１６】
上記のように袋Ｆが装着された袋口開口具１は、図７に示すように、公園清掃のボランティア、その他で使用される。その場合、袋Ｆの開口部２０を目一杯開いた開口２５にして保持することができる。その際に、袋口開口具１および袋Ｆを片手で持てるので、他方の手で箒やトングを持ってゴミの掻き入れ作業を行なうことができる。また、環状枠体２の直線部１４を地面に密着させて置けるので、チリトリ代わりとしてゴミを取りこぼすことなく掻き込むことができる。しかも、この袋口開口具１は環状枠体２と揺動枠１１とから主として成っているので、構成が簡素、軽量であり安価に実現される。
そうして、ゴミで一杯になった袋Ｆを袋口開口具1から取り外すときは、揺動枠１１の揺動先端部１１Ａが手から放される。すると、ゴミおよび袋Ｆの自重により、揺動枠１１が枠部材３に向かって揺動し、袋Ｆの開口部２０が枠部材３の前端部３Ａおよび揺動枠１１の揺動先端部１１Ａから外れて脱落する。すなわち、袋Ｆの取り外しが極めて簡単であり、新たな袋と直ちに取り替え得ることから、野外での使用に好適である。
【００１７】
一方で、上記した袋口開口具１は、図８に示すように折り畳むことができる。すなわち、揺動枠１１の両側の端部１１Ｂ，１１Ｂが軸穴９，１０，９，１０から取り外される。ナット８が緩められて枠部材３と枠部材４が揺動自由にされる。次に、枠部材３に対し枠部材４が矢印２６のように前方に揺動され、枠部材４の後端部４Ａが枠部材３の前端部３Ａの内側に格納される。続いて、揺動枠１１の端部１１Ｂ，１１Ｂが枠部材３の軸穴９，９に再度装着された後、矢印２７のように、揺動枠１１が軸穴９回りに揺動されて揺動先端部１１Ａが前端部３Ａ近傍の枠部材３上に当接する。このように、袋口開口具１はコンパクトに折り畳むことができるので、保管時や商品包装時に便利である。
【００１８】
尚、上記の実施形態において、揺動枠１１の側腕長Ｍは枠部材３の前端部３Ａとの間に袋開口部挿通用の空間１５を形成させるために比較的短い寸法に設定してあるが、本発明はそれに限定されるものでない。すなわち、揺動枠１１を上向きに揺動させれば、揺動先端部１１Ａと枠部材３の前端部３Ａとの間に袋開口部挿通用の空間を作れるので、例えば揺動先端部１１Ａが枠部材３の前端部３Ａに届く程度まで側腕長を伸ばした揺動枠でも構わない。
また、上記では２つの枠部材を連結して環状枠体を構成するようにしたが、本発明の袋口開口具はそれに限定されるものでなく、例えば環状枠体を一の部材で一体形成したものも含まれる。
また、環状枠体はその平面形状が上記した矩形のものに限らず、平面視で、円形状、楕円形状、長円形状、多角形状、その他の形状でも構わない。その場合、揺動枠は環状枠体の平面形状を半割りにした形状に形成される。これらの場合でも、先述した袋口開口具１と同様の作用、効果を呈することは言うまでもない。
【図面の簡単な説明】
【００１９】
【図１】本発明の一実施形態に係る袋口開口具の外観図である。
【図２】前記袋口開口具の平面図である。
【図３】前記袋口開口具の左側面図である。
【図４】図２におけるＡ−Ａ線矢視断面図である。
【図５】（ａ）は図４に示した袋口開口具に袋を掛けて揺動枠を起こした態様を示す動作説明図、（ｂ）は（ａ）に示した袋口開口具の揺動枠を更に倒した態様を示す動作説明図である。
【図６】図５（ｂ）に示した袋口開口具および袋の外観図である。
【図７】前記袋口開口具および袋を用いてゴミを収容する態様を示す使用説明図である。
【図８】前記袋口開口具を折り畳む態様を示す説明図である。
【符号の説明】
【００２０】
１    袋口開口具
２    環状枠体
３，４  枠部材
３Ａ  前端部
４Ａ  後端部
９，１０  軸穴
１１  揺動枠
１１Ａ  揺動先端部
１４  直線部
２０  開口部
２１  第１掛止部位（一端部位）
２２  第２掛止部位（他端部位）
Ｆ    袋
【図１】
2007302277.tif 000003
【図２】
2007302277.tif 000004
【図３】
2007302277.tif 000005
【図４】
2007302277.tif 000006
【図５】
2007302277.tif 000007
【図６】
2007302277.tif 000008
【図７】
2007302277.tif 000009
【図８】
2007302277.tif 000010